(57)【要約】    【課題】異音の発生を防止することができる記録媒体湾曲矯正装置、記録媒体搬送装置及び画像形成装置を提供する。    【解決手段】記録媒体湾曲矯正装置７０は、回転する第一のロール７２と、前記第一のロール７２に対向し、回転する第二のロール７４と、前記第一のロール７２に対向し、回転する第三のロール７６と、を有し、前記第一のロール７２と第二のロール７４により記録媒体入口を構成し、前記第一のロール７２と第三のロール７６により記録媒体出口を構成し、前記第一のロール７２を中心として記録媒体を前記記録媒体入口から前記記録媒体出口に向けて屈曲させるように前記第一のロール７２、前記第二のロール７４及び前記第三のロール７６が配置され、前記第一のロール７２と前記第二のロール７４の間及び前記第一のロール７２と前記第三のロール７６の間の少なくとも一つには隙間ｇが設けられている。    【選択図】図６
2018043849.tif 000002
【特許請求の範囲】
【請求項１】
回転する第一のロールと、
前記第一のロールに対向し、回転する第二のロールと、
前記第一のロールに対向し、回転する第三のロールと、を有し、
前記第一のロールと第二のロールにより記録媒体入口を構成し、前記第一のロールと第三のロールにより記録媒体出口を構成し、前記第一のロールを中心として記録媒体を前記記録媒体入口から前記記録媒体出口に向けて屈曲させるように前記第一のロール、前記第二のロール及び前記第三のロールが配置され、
前記第一のロールと前記第二のロールの間及び前記第一のロールと前記第三のロールの間の少なくとも一つには隙間が設けられている
記録媒体湾曲矯正装置。
【請求項２】
前記第二のロールと前記第三のロールとは、軸方向に分割されているロール部をそれぞれ有し、前記第二のロールのロール部と前記第三のロールのロール部とは軸方向から見て重なっている部分を有する請求項１記載の記録媒体湾曲矯正装置。
【請求項３】
前記隙間は、０．４１±０．２６ｍｍである請求項１又は２記載の記録媒体湾曲矯正装置。
【請求項４】
第一のロールのロール径をａ、第二のロールのロール径をｂ、第三のロール径をｃとした場合、ａ＜ｂ＜ｃである請求項１から３いずれか記載の記録媒体湾曲矯正装置。
【請求項５】
記録媒体に対して搬送方向と直交する方向に波を形成する搬送部材により搬送された記録媒体をさらに搬送する搬送路と、
前記搬送路に設けられた記録媒体湾曲矯正装置とを有し、
前記記録媒体湾曲矯正装置は、
回転する第一のロールと、
前記第一のロールに対向し、回転する第二のロールと、
前記第一のロールに対向し、回転する第三のロールと、を有し、
前記第一のロールと第二のロールにより記録媒体入口を構成し、前記第一のロールと第三のロールにより記録媒体出口を構成し、前記第一のロールを中心として記録媒体を前記記録媒体入口から前記記録媒体出口に向けて屈曲させるように前記第一のロール、前記第二のロール及び前記第三のロールが配置され、
前記第一のロールと前記第二のロールの間及び前記第一のロールと前記第三のロールの間の少なくとも一つには隙間が設けられている
記録搬送装置。
【請求項６】
記録媒体に対して搬送方向と直交する方向に波を形成する排出ロールと、
前記排出ロールから排出された記録媒体を後処理装置へ搬送する記録搬送装置とを有し、
前記記録媒体搬送装置は、
記録媒体に対して搬送方向と直交する方向に波を形成する搬送部材により搬送された記録媒体をさらに搬送する搬送路と、
前記搬送路に設けられた記録媒体湾曲矯正装置とを有し、
前記記録媒体湾曲矯正装置は、
回転する第一のロールと、
前記第一のロールに対向し、回転する第二のロールと、
前記第一のロールに対向し、回転する第三のロールと、を有し、
前記第一のロールと第二のロールにより記録媒体入口を構成し、前記第一のロールと第三のロールにより記録媒体出口を構成し、前記第一のロールを中心として記録媒体を前記記録媒体入口から前記記録媒体出口に向けて屈曲させるように前記第一のロール、前記第二のロール及び前記第三のロールが配置され、
前記第一のロールと前記第二のロールの間及び前記第一のロールと前記第三のロールの間の少なくとも一つには隙間が設けられている
画像形成装置。
【発明の詳細な説明】
【技術分野】
【０００１】
本発明は、記録媒体湾曲矯正装置、記録媒体搬送装置及び画像形成装置に関する。
【背景技術】
【０００２】
特許文献１は、電子写真方式の画像形成装置であって、記録媒体にトナー画像を転写する画像転写ユニットと、前記画像転写ユニットにて記録媒体に転写されたトナーを加熱しながら記録媒体に搬送力を付与する加熱ローラ、及び前記加熱ローラの下方側に配設され、記録媒体を前記加熱ローラ側に押圧する加圧ローラを有する定着ユニットと、前記定着ユニットから排出された記録媒体の搬送方向を上方側に略９０°転向させる搬送方向転向手段と、前記搬送方向転向手段にて搬送方向が転向させられた記録媒体を排出部に排出させる排出ローラと、前記搬送方向転向手段から前記排出ローラに至る搬送経路に設けられ、前記加熱ローラにて記録媒体に付与された湾曲の向きと逆向きに記録媒体を湾曲させるカール取りローラとを備えることを特徴とする画像形成装置を開示する。
【０００３】
特許文献２は、情報を記録する装置から、記録処理された用紙を受け取る後処理装置において、記録後の用紙を後処理するモードまたは非後処理モードにおいて、共用する用紙の搬送路上に設けられ、用紙に湾曲作用を加える装置と、前記装置により湾曲作用の加えられた用紙を後処理モード時の第１の搬送経路あるいは非後処理モード時の第２の搬送経路へと案内する経路切り換え手段とを備え、前記第１または第２の搬送経路へと湾曲作用の加えられた用紙を搬出することを特徴とする記録紙の後処理装置を開示する。
【先行技術文献】
【特許文献】
【０００４】
【特許文献１】特開２００７−１１９１４２号公報
【特許文献２】特開２００１−３５４３５０号公報
【発明の概要】
【発明が解決しようとする課題】
【０００５】
本発明は、異音の発生を防止することができる記録媒体湾曲矯正装置、記録媒体搬送装置及び画像形成装置を提供することを目的とする。
【課題を解決するための手段】
【０００６】
請求項１に係る本発明は、回転する第一のロールと、前記第一のロールに対向し、回転する第二のロールと、前記第一のロールに対向し、回転する第三のロールと、を有し、前記第一のロールと第二のロールにより記録媒体入口を構成し、前記第一のロールと第三のロールにより記録媒体出口を構成し、前記第一のロールを中心として記録媒体を前記記録媒体入口から前記記録媒体出口に向けて屈曲させるように前記第一のロール、前記第二のロール及び前記第三のロールが配置され、前記第一のロールと前記第二のロールの間及び前記第一のロールと前記第三のロールの間の少なくとも一つには隙間が設けられている記録媒体湾曲矯正装置である。
【０００７】
請求項２に係る本発明は、前記第二のロールと前記第三のロールとは、軸方向に分割されているロール部をそれぞれ有し、前記第二のロールのロール部と前記第三のロールのロール部とは軸方向から見て重なっている部分を有する請求項１記載の記録媒体湾曲矯正装置である。
【０００８】
請求項３に係る本発明は、前記隙間は、０．４１±０．２６ｍｍである請求項１又は２記載の記録媒体湾曲矯正装置である。
【０００９】
請求項４に係る本発明は、第一のロールのロール径をａ、第二のロールのロール径をｂ、第三のロール径をｃとした場合、ａ＜ｂ＜ｃである請求項１から３いずれか記載の記録媒体湾曲矯正装置である。
【００１０】
請求項５に係る本発明は、記録媒体に対して搬送方向と直交する方向に波を形成する搬送部材により搬送された記録媒体をさらに搬送する搬送路と、前記搬送路に設けられた記録媒体湾曲矯正装置とを有し、前記記録媒体湾曲矯正装置は、回転する第一のロールと、前記第一のロールに対向し、回転する第二のロールと、前記第一のロールに対向し、回転する第三のロールと、を有し、前記第一のロールと第二のロールにより記録媒体入口を構成し、前記第一のロールと第三のロールにより記録媒体出口を構成し、前記第一のロールを中心として記録媒体を前記記録媒体入口から前記記録媒体出口に向けて屈曲させるように前記第一のロール、前記第二のロール及び前記第三のロールが配置され、前記第一のロールと前記第二のロールの間及び前記第一のロールと前記第三のロールの間の少なくとも一つには隙間が設けられている記録媒体搬送装置である。
【００１１】
請求項６に係る本発明は、記録媒体に対して搬送方向と直交する方向に波を形成する排出ロールと、前記排出ロールから排出された記録媒体を後処理装置へ搬送する記録搬送装置とを有し、前記記録媒体搬送装置は、記録媒体に対して搬送方向と直交する方向に波を形成する搬送部材により搬送された記録媒体をさらに搬送する搬送路と、前記搬送路に設けられた記録媒体湾曲矯正装置とを有し、前記記録媒体湾曲矯正装置は、回転する第一のロールと、前記第一のロールに対向し、回転する第二のロールと、前記第一のロールに対向し、回転する第三のロールと、を有し、前記第一のロールと第二のロールにより記録媒体入口を構成し、前記第一のロールと第三のロールにより記録媒体出口を構成し、前記第一のロールを中心として記録媒体を前記記録媒体入口から前記記録媒体出口に向けて屈曲させるように前記第一のロール、前記第二のロール及び前記第三のロールが配置され、前記第一のロールと前記第二のロールの間及び前記第一のロールと前記第三のロールの間の少なくとも一つには隙間が設けられている画像形成装置である。
【発明の効果】
【００１２】
請求項１に記載の本発明によれば、異音の発生を防止することができる記録媒体湾曲矯正装置を提供することができる。
【００１３】
請求項２に係る本発明によれば、請求項１に係る本発明の効果に加えて、第二のロールのロール部と第三のロールのロール部とが重なっていない場合と比較して、記録媒体を強く矯正することができる。
【００１４】
請求項３に係る本発明によれば、搬送される最大厚さの記録媒体を矯正した場合でも異音の発生を防止することができる。
【００１５】
請求項４に係る本発明によれば、請求項１又は２に係る本発明の効果に加えて、第一のロールのロール径が他のロールのロール径よりも大きい場合と比較して、記録媒体を強く矯正することができる。
【００１６】
請求項５に係る本発明によれば、異音の発生を防止することができる記録媒体搬送装置を提供することができる。
【００１７】
請求項６に係る本発明によれば、異音の発生を防止することができる画像形成装置を提供することができる。
【図面の簡単な説明】
【００１８】
【図１】本発明の実施形態に係る画像形成装置を示す側面断面図である。
【図２】本発明の実施形態に用いた排出ロールを示す正面図である。
【図３】本発明の実施形態に係る記録媒体湾曲矯正装置を示し、湾曲矯正モードにある場合の断面図である。
【図４】本発明の実施形態に係る記録媒体湾曲矯正装置を示し、搬送モードにある場合の断面図である。
【図５】本発明の実施形態に係る記録媒体湾曲矯正装置を示す平面図である。
【図６】本発明の実施形態に係る記録媒体湾曲矯正装置を示す側面図である。
【発明を実施するための形態】
【００１９】
以下、図面を参照して本発明の実施形態を説明する。
【００２０】
画像形成装置１０は、図１に示すように画像形成装置本体１２を有し、画像形成装置本体１２の上側の面には、画像の形成された記録媒体が排出される排出部１４が設けられている。
【００２１】
画像形成装置本体１２内には、記録媒体に転写する画像を形成する画像形成部１６と、この画像形成部１６に記録媒体を供給する記録媒体供給装置１８とが配設されている。
【００２２】
画像形成部１６は、例えば、イエロー（Ｙ）、マゼンタ（Ｍ）、シアン（Ｃ）、黒（Ｋ）の４色に対応する画像形成ユニット２２と、光書き込み装置２４とを有する。画像形成ユニット２２及び光書き込み装置２４は、形成する画像の色以外は同様に構成されている。
【００２３】
画像形成ユニット２２は、それぞれ交換部材として用いられ、画像形成装置本体１２に対して着脱自在に設けられている。画像形成ユニット２２は、例えば、画像形成装置本体１２の後側（図１における左側）から順に、Ｙ、Ｍ、Ｃ、Ｋの順に並べられている。
【００２４】
画像形成ユニット２２は、現像剤像を担持するドラム形状の像保持体２５と、この像保持体２５を一様に帯電する帯電ロール２６と、像保持体２４に書き込まれた潜像をトナーで現像する現像器２８と、像保持体２４に残留する廃現像剤を例えば掻き取って清掃する清掃装置３０とが設けられている。
【００２５】
光書込み装置２４は、カラー画像信号に同期してレーザを発光し、帯電ロール２６により帯電された像保持体２５上に潜像を形成する。
【００２６】
中間転写ベルト３２は、無端状のベルト形状であり、図１に矢印で示す方向に回転することができるように支持されている。この中間転写ベルト３２を挟んで前述した像保持体２４に対向して一次転写ロール３４が設けられている。この中間転写ベルト３２には、像保持体２５で形成されたトナー像が一次転写ロール３４により転写される。
【００２７】
また、中間転写ベルト３２を支持するバックアップロール３６に対向して二次転写ロール３８が設けられている。この二次転写ロール３８は、中間転写ベルト３２に転写されたトナー像を記録媒体に対して転写する。
【００２８】
清掃装置４０は、二次転写ロール３８で記録媒体に対して各色のトナー像が転写された後に、中間転写ベルト３２に残存するトナーを中間転写ベルト３２から欠き落として回収するようになっている。
【００２９】
記録媒体供給装置１８は、記録媒体を積層した状態で収納する記録媒体収納容器４２を有し、この記録媒体収納容器４２に収納された最上位の記録媒体を抽出し、抽出した記録媒体を画像形成部１６に向けて搬送する。
【００３０】
第一の搬送路４３は、記録媒体供給装置２２から供給された記録媒体を画像形成部１６に搬送し、画像が形成された記録媒体を排出部１４に排出するまでの搬送路である。この第一の搬送路４３の二次転写ロール３８の後流側には、定着装置４４が設けられている。
定着装置４４は、加熱ロール４６及び加圧ロール４８を有し、加熱ロール４６と加圧ロール４８との間を通過する記録媒体を加熱し加圧することで、記録媒体に現像剤像を定着する。
【００３１】
排出ロール５２は、定着装置４４により現像剤が定着された記録媒体を、排出部１４に排出する。
【００３２】
この排出ロール５２は、図２に示すように、コルゲーションロールから構成されている。即ち、排出ロール５２は、排出方向と直交する方向に予め定められた間隔をおいて上部ロール５４と下部ロール５６との対が複数配置されている。上部ロール５４は凸部５８が周方向に形成され、下部ロール５６には凹部６０が周方向に形成されている。そして、上部ロール５４の凸部５８が下部ロール５６の凹部６０に入り込み、排出ロール５２を通過する記録媒体は凸部５８と凹部６０との間で曲げられ、搬送方向とは直交する方向に波が形成されるようになっている。
【００３３】
この実施形態においては、画像形成装置本体１２の側方に後処理装置６４が配置されている。後処理装置６４は、記録媒体を束ねてステープルしたり、折り曲げたりする装置である。この後処理装置６４には、排出口６２から排出された記録媒体が記録媒体搬送装置６６を介して搬送される。
【００３４】
記録媒体搬送装置６６は、排出部１４に嵌る形状を有し、排出部１４の上に配置されている。この記録媒体搬送装置６６は、第二の搬送路６８を有し、この第二の搬送路６８の入口側が排出口６２に接続され、出口側が後処理装置６４の入口に接続されている。
【００３５】
記録媒体湾曲矯正装置７０は、記録媒体搬送装置６６内にあって、排出口６２の近くに設けられている。この記録媒体湾曲矯正装置７０は、排出口６２から排出される湾曲した記録媒体を矯正するものである。
【００３６】
図３には記録媒体湾曲矯正装置７０の具体例が示されている。
記録媒体湾曲矯正装置７０は、回転する第一のロール７２、第一のロール７２に対向して回転する第二のロール７４、及び第一のロール７２に対向して回転する第三のロール７６とを有する。この記録媒体湾曲矯正装置７０の入口側は回動部７８となっている。第一のロール７２と第二のロール７４とは、図示しない回動部本体に形成された決め孔で互いに強く押圧するように支持されている。第三のロール７６は、記録媒体搬送装置本体側に支持されている。この回動部７８は、第一の入口部８０と第二の入口部８２とを構成するシュート部８４を有する。回動部７８は、第二のロール７４を中心として、第一のロール７２及びシュート部８４を反時計方向及び時計方向に回転させる。
【００３７】
図３に示すように、第一の入口部８０が記録媒体搬送装置６６入口側に形成された搬送口８６と向き合う位置に回動部７８が位置する場合は、第一の入口部８０から入ったダウンカールの記録媒体は、第一のロール７２と第二のロール７４との間に挿入され、第一のロール７２と第二のロール７４との間から出て、ダウンカールが上に向くように矯正される。
【００３８】
一方、図３に示す位置から回動部７８が第二のロール７４を中心として反時計方向に回転すると、図４に示すように、第二の入口部８２が搬送口８６と向き合う。ここで、第一のロール７２が第三のロール７６から離れるので、第二の入口部８２から入った記録媒体は、第一のロール７２と第二のロール７４とにより、湾曲矯正されることなく、そのまま搬送される。
【００３９】
さらに記録媒体湾曲矯正装置７０について説明する。
【００４０】
図５は、記録媒体湾曲矯正装置７０の平面図である。
点線で示す第一のロール７２は、軸方向に直交する断面が軸方向で一様に円形となっている棒状のロールである。
【００４１】
第二のロール７４は、軸８８と、この軸８８の周囲に形成され、軸方向に長い第一のロール部９０と、軸８８に形成され、第一のロール部９０よりも短い第二のロール部９２とを有する。第一のロール部９０及び第二のロール部９２は、それぞれ軸方向に分割して複数形成されている。
【００４２】
第三のロール７６は、軸９４と、この軸９４の周囲に形成された第三のロール部９６とを有する。第三のロール部９６は、軸方向に分割して複数形成されている。
【００４３】
そして、第二のロール７４と第三のロール７６とは、第一のロール部９０と第二のロール部９２との間に第三のロール部９６が配置され、互いに近接して配置できるようにしてある。
【００４４】
第一のロール７２と第二のロール７４とにより記録媒体の入口が構成されている。また、第一のロール７２と第三のロール７６により記録媒体の出口が構成されている。第一のロール７２と第二のロール７４との間の入口から入った記録媒体は潰されるのと同時に湾曲され、第一のロール７２と第三のロール７６との間の出口から出ていく。
【００４５】
図６は、第一のロール７２、第二のロール７４及び第三のロール７６の位置関係及び径の関係について示している。
【００４６】
第一のロール７２の直径をａ、第二のロール７４（第一のロール部９０及び第二のロール部９２）の直径をｂ、第三のロール７６（第三のロール部９６）の直径をｃとすると、ａ＜ｂ＜ｃとなっている。第一のロール７２の直径ａが小さいため、記録媒体を強く屈曲するようになっている。
【００４７】
また、第二のロール７４の第一のロール部９０及び第二のロール部９２と、第三のロール７６の第三のロール部９６とは、軸方向から見て重なっている周辺の一部が重なっている。このように、重ねることで第二のロール７４と第三のロール７６とは近接させ、記録媒体を強く屈曲するようになっている。
【００４８】
さらに、第一のロール７２と第三のロール７６の第三のロール部９６との間には、隙間ｇが設けられている。隙間ｇがなく、第一のロール７２と第三のロール７６の第三のロール部９６とを接触させた場合、湾曲した記録媒体を強く強制的に矯正するので、記録媒体の変形音（異音）が発生する。特にこの実施形態のように、排出ロール５２で波形として記録媒体を矯正する場合に異音の発生が著しい。
【００４９】
そこで、隙間ｇを設けると、記録媒体の矯正力が緩和され、異音の発生を防止することが確認された。
【００５０】
この隙間ｇは、例えば０．４１±０．２６ｍｍである。これはこの実施形態において使用する最大である記録媒体の厚さと一致する。即ち、最大の厚さを有する記録媒体に対して湾曲矯正する場合であっても異音の発生を防止する。
【００５１】
なお、この実施形態においては、出口側である第一のロール７２と第三のロール７６との間で隙間ｇを設けている。
しかしながら、本発明はこれに限定されるものではなく、例えば入口側である第一のロール７２と第二のロール７４と間に隙間ｇを設けるようにしてもよい。さらに記録媒体の搬送機能が必要無い場合は、第一のロール７２と第二のロール７４と間、及び第一のロール７２と第三のロール７６との間の双方に隙間ｇを設けるようにしてもよい。
【符号の説明】
【００５２】
１０  画像形成装置
１２  画像形成装置本体
１４  排出部
１６  画像形成部
１８  記録媒体供給装置
４３  第一の搬送路
４４  定着装置
５２  排出ロール
６４  後処理装置
６６  記録媒体搬送装置
６８  第二の搬送路
７０  記録媒体湾曲矯正装置
７２  第一のロール
７４  第二のロール
７６  第三のロール
９０  第一のロール部
９２  第二のロール部
９６  第三のロール部
【図１】
2018043849.tif 000003
【図２】
2018043849.tif 000004
【図３】
2018043849.tif 000005
【図４】
2018043849.tif 000006
【図５】
2018043849.tif 000007
【図６】
2018043849.tif 000008